(57)【要約】【課題】  視聴不可となっている年齢の視聴者に対してＤＶＤに記録されているコンテンツを再生しないようにすることができる。【解決手段】  ＤＶＤ読取部により読み取ったＤＶＤの年齢制限情報とカード読取部により読み取ったＩＤカードに記録されている年齢情報とにより、前記ＩＤカードに記録されている年齢の視聴者による当該ＤＶＤに記録されているコンテンツの視聴が可能か否かを判定し、視聴が可能な場合は利用実績として利用者情報を書込み、コンテンツを再生するようにしたものである。【選択図】      図１
2005100253.tif 000002
【特許請求の範囲】
【請求項１】
コンテンツ情報とそのコンテンツの視聴に対する年齢制限情報とが記録されている記録媒体から情報を読み取る読取手段と、
少なくとも視聴者の年齢情報が記録されているＩＤカードから年齢情報を読み取るカード読取手段と、
このカード読取手段により読み取った年齢情報と前記読取手段により前記記録媒体から読み取った年齢制限情報とに基づいて、前記ＩＤカードに年齢情報が記録されている視聴者が前記記録媒体に記録されているコンテンツを視聴可能か否かを判定する判定手段と、
この判定手段により前記記録媒体に記録されているコンテンツが視聴可能であると判定した場合に、当該記録媒体に記録されているコンテンツを再生する再生手段と、
を有することを特徴とする記録媒体の再生装置。
【請求項２】
さらに、前記判定手段による判定結果を前記記録媒体に設けられている書込み可能な記録エリアに記録する記録手段を有する、ことを特徴とする前記請求項１に記載の記録媒体の再生装置。
【請求項３】
前記カード読取手段は、運転免許証から年齢情報を読み取る機能を有し、視聴者のＩＤカードとして運転免許証が提示された場合には当該運転免許証から年齢情報を読み取る、ことを特徴とする前記請求項１に記載の記録媒体の再生装置。
【請求項４】
コンテンツ情報とそのコンテンツの視聴に対する年齢制限情報とが記録されている記録媒体と、その記録媒体に記録されているコンテンツを再生する再生装置と、この再生装置にて再生可能な記録媒体に対する処理を行う処理装置とを有する記録媒体のレンタルシステムにおいて、
前記再生装置は、
前記記録媒体に記録されているコンテンツの視聴に対する年齢制限情報を読み取る第１の読取手段と、
少なくとも視聴者の年齢情報が記録されているＩＤカードから年齢情報を読み取るカード読取手段と、
このカード読取手段により読み取った年齢情報と前記第１の読取手段により前記記録媒体から読み取った年齢制限情報とに基づいて、前記ＩＤカードに年齢情報が記録されている視聴者が前記記録媒体に記録されているコンテンツを視聴可能か否かを判定する判定手段と、
この判定手段による判定結果を前記記録媒体に記録されているコンテンツの利用実績として前記記録媒体に設けられている書込み可能な記録エリアに記録する記録手段と、
前記判定手段により前記記録媒体に記録されているコンテンツの視聴が可能であると判定した場合に、当該記録媒体に記録されているコンテンツを再生する再生手段と、を有し、
前記処理装置は、
前記記録媒体の前記記録エリアに記録されているコンテンツの利用実績を示す情報を読み取る第２の読取手段と、
この第２の読取手段により読み取った前記記録媒体の前記記録エリアに記録されているコンテンツの利用実績に応じて当該記録媒体のレンタル料金を算出する算出手段と、を有する、
ことを特徴とする記録媒体のレンタルシステム。
【請求項５】
さらに、前記算出手段により前記記録媒体に対するレンタル料を算出した場合、当該記録媒体の前記記録エリアに記録されている利用実績を示す情報を初期化する初期化手段を有することを特徴とする前記請求項４に記載の記録媒体のレンタルシステム。
【発明の詳細な説明】
【技術分野】
【０００１】
本発明は、映像や音楽や文書などのコンテンツが記録されたビデオテープやＤＶＤなどの記録媒体を貸し出して利用者からレンタル料を徴収するレンタルシステムとこのレンタルシステムで借りた記録媒体を再生する記録媒体の再生装置に関する。
【背景技術】
【０００２】
従来、映像や音楽や文章などのコンテンツが記録されたビデオテープやＤＶＤなどの記録媒体を貸し出して、その記録媒体のレンタル料を徴収するレンタルシステムがある。従来のレンタルシステムでは、記録媒体の貸し出し期間に応じてレンタル料が設定されており、返却時にその記録媒体を借りた期間によってレンタル料を精算するようになっている。また、従来のレンタルシステムでは、通常、１つの記録媒体を１人の利用者に対して貸し出すことが原則となっている。
【０００３】
しかしながら、従来のレンタルシステムで貸し出される記録媒体は、一般的な記録媒体の再生装置で再生可能であるため、レンタルシステムで記録媒体を借りた者が第３者にその記録媒体を又貸ししたとしても第３者の分のレンタル料金を徴収するのは難しいのが現状である。つまり、従来のレンタルシステムでは、実際に記録媒体を借りた利用者が貸し出し期間中にどのような形態で記録媒体を使用したかを判断することができないため、当該記録媒体の貸し出し期間中における使用状況（利用実績）に応じたレンタル料を設定できないという問題点がある。
【０００４】
また、従来、閲覧（視聴）に対して年齢制限が付与されているコンテンツを記録した記録媒体がある。このような年齢制限付きのコンテンツが記録されている記録媒体は、従来のレンタルシステムにおいては、レンタル店の店員などが、その記録媒体を貸し出す人物の年齢を確認することで貸し出しを行っているのが現状である。
【０００５】
すなわち、従来のレンタルシステムでは、上述した理由によって実際に記録媒体を借りた人物が第３者に容易に又貸しすることができる。このため、視聴できない年齢（年齢制限によって視聴が規制されている年齢）の人物が当該記録媒体に記録されているコンテンツを容易に視聴することが可能となっているという問題点がある。
【発明の開示】
【発明が解決しようとする課題】
【０００６】
この発明は、上記のような問題点を解決するものであり、記録媒体に記録されている年齢制限が付与されているコンテンツを視聴が可能でない年齢の人物が視聴することを防止することができる記録媒体の再生装置を提供することを目的とする。
【０００７】
また、この発明では、コンテンツが記録されている記録媒体を貸し出すシステムにおいて、貸し出した記録媒体の利用実績に応じてレンタル料を徴収できる記録媒体のレンタルシステムを提供することを目的としている。
【課題を解決するための手段】
【０００８】
この発明の記録媒体の再生装置は、コンテンツ情報とそのコンテンツの視聴に対する年齢制限情報とが記録されている記録媒体から情報を読み取る読取手段と、少なくとも視聴者の年齢情報が記録されているＩＤカードから年齢情報を読み取るカード読取手段と、このカード読取手段により読み取った年齢情報と前記読取手段により前記記録媒体から読み取った年齢制限情報とに基づいて、前記ＩＤカードの視聴者が前記記録媒体に記録されているコンテンツを視聴可能か否かを判定する判定手段と、この判定手段により前記記録媒体に記録されているコンテンツが視聴可能であると判定した場合に、当該記録媒体に記録されているコンテンツを再生する再生手段とを有する。
【０００９】
この発明の記録媒体のレンタルシステムは、コンテンツ情報とそのコンテンツの視聴に対する年齢制限情報とが記録されている記録媒体と、その記録媒体に記録されているコンテンツを再生する再生装置と、この再生装置にて再生可能な記録媒体に対する処理を行う処理装置とを有するシステムにおいて、前記再生装置は、前記記録媒体に記録されているコンテンツの視聴に対する年齢制限情報を読み取る第１の読取手段と、少なくとも視聴者の年齢情報が記録されているＩＤカードから年齢情報を読み取るカード読取手段と、このカード読取手段により読み取った年齢情報と前記第１の読取手段により前記記録媒体から読み取った年齢制限情報とに基づいて、前記ＩＤカードの視聴者が前記記録媒体に記録されているコンテンツを視聴可能か否かを判定する判定手段と、この判定手段による判定結果を前記記録媒体に記録されているコンテンツの利用実績として前記記録媒体に設けられている書込み可能な記録エリアに記録する記録手段と、前記判定手段により前記記録媒体に記録されているコンテンツの視聴が可能であると判定した場合に、当該記録媒体に記録されているコンテンツを再生する再生手段とを有し、前記処理装置は、前記記録媒体の前記記録エリアに記録されているコンテンツの利用実績を示す情報を読み取る第１の読取手段と、この第１の読取手段により読み取った前記記録媒体の前記記録エリアに記録されているコンテンツの利用実績に応じて当該記録媒体のレンタル料金を算出する算出手段とを有する。
【発明の効果】
【００１０】
この発明によれば、記録媒体に記録されている年齢制限が付与されているコンテンツを視聴が可能でない年齢の人物が視聴することを防止することができる記録媒体の再生装置を提供できる。
【００１１】
また、この発明によれば、コンテンツが記録されている記録媒体を貸し出すシステムにおいて、貸し出した記録媒体の利用実績に応じてレンタル料を徴収できる記録媒体のレンタルシステムを提供できる。
【発明を実施するための最良の形態】
【００１２】
以下、この発明の実施の形態について図面を参照しつつ詳細に説明する。
【００１３】
図１は、この発明の実施の形態に係るレンタルＤＶＤ再生装置（記録媒体の再生装置）１の構成例を示す図である。このレンタルＤＶＤ再生装置１は、レンタル店で借りたレンタル用の記録媒体としてのレンタルＤＶＤ２を再生する装置である。このレンタルＤＶＤ再生装置１は、表示装置３に接続され、ＤＶＤ２に記録されているコンテンツを上記表示装置３にて再生するものである。また、レンタル用の記録媒体としてのレンタルＤＶＤ２に記録されるコンテンツは、映画等の映像情報あるいは音楽等の音楽情報などを符号化したコンテンツ情報として記録されているものとする。
【００１４】
なお、本実施の形態では、コンテンツが記録されているレンタル用の記録媒体としてレンタルＤＶＤが用いられる場合について説明するが、これに限らず、映像情報あるいは音楽情報などのコンテンツが記録された他の記録媒体を用いたものであっても同様に実現できる。また、レンタル記録媒体としてのレンタルＤＶＤ２は、コンテンツ情報が記録された書込み不可のデータ領域とデータの書込みが可能な利用実績書込み領域２ａとを有しているものとする。
【００１５】
上記レンタルＤＶＤ再生装置１は、図１に示すように、カード読取部（カード読取手段）１１、判定部（判定手段）１２、利用実績書込部（記録手段）１３、ＤＶＤ読取部（読取手段）１４、及びコンテンツ再生部（再生手段）１５などを有している。
【００１６】
上記カード読取部１１は、視聴者（閲覧者）が所持しているＩＤカードＣから少なくとも年齢情報を含む利用者情報を読み取るものである。また、ＩＤカードＣとしては、上記カード読取部１１で読取可能な視聴者の少なくとも年齢情報が記録されているものであれば良い。
【００１７】
例えば、ＩＤカードＣとしては、年齢情報を含む利用者情報が記録された無線ＩＣカードが用いられる。この場合、上記カード読取部１１は、無線ＩＣカード用のリーダライタで構成される。また、上記ＩＤカードＣとしては、レンタル店で発行される年齢情報を含む利用者情報が記録されたカードを用いるようにしても良いし、運転免許証などを用いるようにしても良い。本実施の形態では、上記カード読取部１１においてレンタル店で発行されたカードと運転免許証との両方から年齢情報を読み取ることができるものとする。
【００１８】
上記判定部１２は、視聴者がＤＶＤ２に記録されているコンテンツを閲覧（視聴）する資格を有しているか否かを判定し、その判定結果に基づいてＤＶＤ２に記録されているコンテンツの表示／非表示を制御するものである。上記判定部１２は、上記カード読取部１１にてＩＤカードＣから読み取った年齢とＤＶＤ２に記録されているコンテンツの年齢制限情報とを比較し、当該ＩＤカードＣの人物がＤＶＤ２に記録されているコンテンツを閲覧する資格があるか否かを判定するようになっている。
【００１９】
上記利用実績書込部１３は、レンタルＤＶＤ２に設けられている書込み可能な利用実績書込み領域２ａにデータを記録する記録手段から構成されている。上記利用実績書込部１３は、当該レンタルＤＶＤ２に記録されているコンテンツの視聴回数や視聴した人物の情報などを利用実績として上記利用実績書込み領域２ａに書込むものである。
【００２０】
上記ＤＶＤ読取部１４は、ＤＶＤ２に記録されているデータを読み取る読取手段により構成されている。上記ＤＶＤ読取部１４は、例えば、ＤＶＤ２に記録されているコンテンツの閲覧に関する年齢制限情報を読み取って上記判定部１２へ供給する機能と、ＤＶＤ２に記録されているコンテンツのデータを読み出して上記コンテンツ再生部１５へ供給する機能とを有している。
【００２１】
上記コンテンツ再生部１５は、上記ＤＶＤ読取部１４にてＤＶＤ２から読み取ったコンテンツのデータを復元して映像信号や音声信号に変換するデコーダなどにより構成される。上記コンテンツ再生部１５は、表示装置３に接続され、上記ＤＶＤ２に記録されているコンテンツを上記表示装置３にて再生するようになっている。また、上記コンテンツ再生部１５は、上記判定部１２による判定結果に基づいてＤＶＤ２に記録されているコンテンツの再生を実行したり、コンテンツの再生を中止したりする機能を有している。
【００２２】
次に、上記レンタルＤＶＤ２の処理装置２０について説明する。
【００２３】
図２は、処理装置２０の構成例を概略的に示す図である。
【００２４】
この処理装置２０は、例えば、レンタル店に設置され、利用者から返却されたレンタルＤＶＤ２に対する処理を行うとともに、レンタルＤＶＤ２に対するレンタル料を計算するものである。図２に示すように、処理装置２０は、ＤＶＤ読取部（第２の読取手段）２１、操作部２２、利用実績初期化部（初期化手段）２３、料金計算部（算出手段）２４、料金テーブル２５、及び表示部２６などを有している。
【００２５】
上記ＤＶＤ読取部２１は、ＤＶＤ２に記録されているデータを読み取る読取手段により構成されている。上記ＤＶＤ読取部２１は、例えば、利用者から返却されたレンタルＤＶＤ２から利用実績などの情報を読み取る。
【００２６】
上記操作部２２は、キーボードやテンキーなどにより構成される。上記操作部２２は、例えば、レンタルＤＶＤ２の利用実績書込み領域２ａに記録されている利用実績に基づくレンタル料金の算出指示やレンタルＤＶＤ２の利用実績書込み領域２ａに記録される利用実績の初期化指示などがレンタル店の店員により入力される。
【００２７】
上記利用実績初期化部２３は、ＤＶＤ２の利用実績書込み領域２ａに対して書込みを行う書込手段により構成されている。上記利用実績初期化部２３は、例えば、レンタルＤＶＤ２の利用実績書込み領域２ａに記録されている利用実績を示す情報を初期化する機能を有している。
【００２８】
上記料金計算部２４は、レンタルＤＶＤ２に対するレンタル料を算出するものである。また、上記料金テーブル２５は、利用実績に対応するレンタル料金を示す情報が記録されている。例えば、上記料金計算部２４は、上記料金テーブル２５に基づいてレンタルＤＶＤ２の利用実績書込み領域２ａに記録されている利用実績に対応するレンタル料を算出するようになっている。また、上記料金計算部２４は、上記表示部２６に接続され、算出したレンタル料を示す情報などを表示部２６に出力するようになっている。
【００２９】
上記表示部２６は、表示装置などにより構成され、上記料金計算部２４により算出したレンタル料やレンタルＤＶＤ２の利用実績などを表示するようになっている。例えば、上記料金計算部２４にてレンタル料を算出した場合、上記表示部２６には、図２に示すように、レンタルＤＶＤ２の利用実績書込み領域２ａから読み取った利用実績とその利用実績に対応するレンタル料が表示される。
【００３０】
次に、上記レンタルＤＶＤ２の利用実績書込み領域２ａに記録される利用実績について詳細に説明する。
【００３１】
図３は、上記レンタルＤＶＤ２の利用実績書込み領域２ａに記録される利用実績の例を示す図である。
【００３２】
図３に示すように、レンタルＤＶＤ２の利用実績書込み領域２ａには、レンタルＤＶＤ２に記録されているコンテンツを再生した実績を示す情報が記録される。図３に示す例では、利用者の年齢とコンテンツを再生したか否かを示す判定結果とが対応して記録されている。
【００３３】
上記利用実績書込み領域２ａに記録される利用実績は、少なくともそのレンタルＤＶＤ２に記録されているコンテンツを再生した回数を示すものであれば良い。従って、図３に示す例では、コンテンツの再生を試みるごと、コンテンツを再生したか否かを示す判定結果を記録するようになっている。なお、図３に示す例では、コンテンツを再生したか否かを示す判定結果とともに利用者の年齢と性別を記録しているが、性別については省略するようにしても良い。
【００３４】
次に、上記料金テーブル２５の構成例について説明する。
【００３５】
図４は、レンタルＤＶＤ２の利用実績に応じた料金体系を示す料金テーブルの構成例を示す図である。
【００３６】
図４に示す例では、料金テーブル２５にレンタルＤＶＤ２の利用実績に対するレンタル料が記録されている。図４に示す例では、利用実績として利用回数(コンテンツを再生した回数)に応じてレンタル料を追加料金として徴収するような料金体系となっている。すなわち、図３に示すような利用実績によれば判定結果が「可」となった回数を利用回数として算出できる。これにより、図４に示すような料金テーブル２５に基づいて、利用回数に対応するレンタル料が算出できるようになっている。
【００３７】
また、図４に示す例では、利用実績から判定される利用回数に応じてレンタル料を追加徴収するような料金体系を設定している場合を示したが、利用実績から判定される利用した人数に応じてレンタル料を追加徴収するような料金体系を設定するようにしても良い。この場合、何人の人がコンテンツを閲覧したかが判定できるような利用実績をレンタルＤＶＤ２の利用実績書込み領域２ａに記録する必要がある。
【００３８】
例えば、ＩＤカードから読み取られる利用者情報から個人が特定できるような情報（個人識別情報）を取得し、その個人識別情報を利用実績として記録するようにすれば良い。この場合、レンタルＤＶＤ２の利用実績書込み領域２ａには、利用実績として個人情報が記録されることとなるが、当該レンタルＤＶＤ２のコンテンツを再生させた人数を判定して利用人数に応じたレンタル料が徴収できるようになる。
【００３９】
次に、上記のように構成されるレンタルＤＶＤ再生装置１における処理手順について説明する。
【００４０】
図５は、レンタルＤＶＤ再生装置１における処理手順を説明するためのフローチャートである。
【００４１】
ここで、利用者（閲覧者）は、レンタル店において、年齢制限付きで閲覧可能なコンテンツが記録されているレンタルＤＶＤ２を借りているものとする。
【００４２】
まず、閲覧者は、レンタルＤＶＤ再生装置１にレンタルＤＶＤ２と本人の個人情報が記録されているＩＤカードＣとをセットし、図示しない操作部によりレンタルＤＶＤ２に記録されているコンテンツの再生を指示する。なお、ここでは、ＩＤカードとしてレンタル店が発行した本人の年齢情報を含む利用者が記録された会員カードを想定して説明するが、閲覧者本人の運転免許証などの年齢情報が上記カード読取部１１にて読み取れるものであれば良い。
【００４３】
コンテンツの再生が指示されたレンタルＤＶＤ再生装置１では、上記ＤＶＤ読取部１４によりレンタルＤＶＤ２に記録されている年齢制限情報を読み取る（ステップＳ１１）。このレンタルＤＶＤ２から読み取った年齢制限情報は、上記判定部１２へ供給される。
【００４４】
また、上記カード読取部１１は、当該レンタルＤＶＤ再生装置１にセットされたＩＤカードＣから閲覧者の年齢情報を読み取る（ステップＳ１２）。このＩＤカードＣから読み取った利用者の年齢情報は、上記判定部１２へ供給される。
【００４５】
上記判定部１２では、上記ＤＶＤ読取部１４にてレンタルＤＶＤ２から読み取った年齢制限情報と上記カード読取部１１にてＩＤカードＣから読み取った年齢情報とを比較し、上記カード読取部１１にてＩＤカードＣから読み取った年齢情報が示す年齢が上記レンタルＤＶＤ２の年齢制限情報が示すコンテンツの閲覧可能な年齢であるか否かを判定する（ステップＳ１３）。
【００４６】
例えば、レンタルＤＶＤ２に記録されているコンテンツに対して年齢制限情報が１８才未満の閲覧を禁止するものである場合、上記ＩＤカードＣから読み取った年齢が１８才以上でなければ、上記判定部１２は、当該レンタルＤＶＤ２に記録されているコンテンツの閲覧が不可であると判定するものである。
【００４７】
上記判定により閲覧可能であると判定した場合、つまり、上記ＩＤカードＣに記録されている年齢が当該レンタルＤＶＤ２のコンテンツを閲覧可能な年齢であると判定した場合（ステップＳ１３、はい）、上記判定部１２は、上記利用実績書込部１３に判定結果が可であることを示す情報と利用者情報とを供給するとともに、上記コンテンツ再生部１５に判定結果として当該コンテンツの再生が可であることを示す情報を供給する。なお、ここでは、利用者情報としては、年齢と性別とを上記利用実績書込部１３へ供給するものとする。
【００４８】
上記判定部１２から判定結果が可であることを示す情報と利用者情報とを受けた上記利用実績書込部１３では、当該レンタルＤＶＤ２の利用実績書込み領域２ａに判定結果を可にして利用者情報を書込む（ステップＳ１４）。これにより、当該レンタルＤＶＤ２の利用実績書込み領域２ａには、図３に示すような利用実績が書込まれる。
【００４９】
また、上記判定部１２から判定結果として当該レンタルＤＶＤ２のコンテンツの再生が可であることを示す情報を受けた上記コンテンツ再生部１５では、上記ＤＶＤ読取部１４により読み取った当該レンタルＤＶＤ２のコンテンツ情報をデコードして上記表示装置３へ供給する（ステップＳ１５）。これにより、上記表示装置３では、当該レンタルＤＶＤ２に記録されているコンテンツが再生される。
【００５０】
また、上記判定により閲覧不可であると判定した場合、つまり、上記ＩＤカードＣに記録されている年齢が当該レンタルＤＶＤ２のコンテンツを閲覧不可能な年齢であると判定した場合（ステップＳ１３、いいえ）、上記判定部１２は、上記利用実績書込部１３に判定結果が不可であることを示す情報と利用者情報とを供給するとともに、上記コンテンツ再生部１５に判定結果として当該コンテンツの再生が不可であることを示す情報を供給する。なお、ここでは、利用者情報としては、年齢と性別とを上記利用実績書込部１３へ供給するものとする。
【００５１】
上記判定部１２から判定結果が不可であることを示す情報と利用者情報とを受けた上記利用実績書込部１３では、当該レンタルＤＶＤ２の利用実績書込み領域２ａに判定結果を不可にして利用者情報を書込む（ステップＳ１６）。これにより、当該レンタルＤＶＤ２の利用実績書込み領域２ａには、図３に示すような利用実績が書込まれる。なお、利用回数によってレンタル料金が算出される料金体系においては、閲覧不可であった場合、利用実績としては何も書込まないようにしても良い。これは、上記のような料金体系においては、閲覧不可である場合（再生しなかった場合）の利用実績が無くともレンタル料が算出できるためである。
【００５２】
また、上記判定部１２から判定結果として当該レンタルＤＶＤ２のコンテンツの再生が不可であることを示す情報を受けた上記コンテンツ再生部１５では、当該レンタルＤＶＤ２に記録されているコンテンツの再生を中止する（ステップＳ１７）。この際、上記コンテンツ再生部１５は、上記表示装置３に年齢制限のため当該レンタルＤＶＤ２のコンテンツが再生できない旨を案内表示するようにしても良い。
【００５３】
上記のように、ＤＶＤ読取部により読み取ったＤＶＤの年齢制限情報とカード読取部により読み取ったＩＤカードに記録されている年齢情報とにより、前記ＩＤカードに年齢が記録されている視聴者による当該ＤＶＤに記録されているコンテンツの視聴が可能か否かを判定し、視聴が可能な場合は利用実績として利用者情報を書込み、コンテンツを再生するようにしたものである。これにより、視聴が不可となっている年齢の視聴者に対してＤＶＤに記録されているコンテンツを再生しないようにすることができる。
【００５４】
次に、レンタル店側での処理装置２０における処理手順について説明する。
【００５５】
図６は、レンタルＤＶＤ２をレンタル店に返却した場合の上記処理装置２０における処理手順を説明するためのフローチャートである。
【００５６】
ここで、レンタル店では、利用者（閲覧者）からレンタルＤＶＤ２が返却されたものとする。この場合、レンタル店の店員は、利用者から返却されたレンタルＤＶＤ２を上記処理装置２０にセットする。すると、上記処理装置２０のＤＶＤ読取部２１は、レンタル店の店員にセットされたレンタルＤＶＤ２の利用実績書込み領域２ａから利用実績を示す情報を読み取る（ステップＳ２１）。このレンタルＤＶＤ２の利用実績書込み領域２ａから読み取った利用実績を示す情報は、上記ＤＶＤ読取部２１から料金計算部２４へ供給される。
【００５７】
上記料金計算部２４では、ＤＶＤ読取部２１から供給された利用実績を示す情報から当該レンタルＤＶＤ２の利用回数（コンテンツを再生した回数）を判断する。当該レンタルＤＶＤ２の利用回数を判断すると、上記料金計算部２４は、上記料金テーブル２５に記憶されている利用回数とレンタル料との対応関係に従って当該レンタルＤＶＤ２に対するレンタル料を決定する（ステップＳ２２）。
【００５８】
当該レンタルＤＶＤ２に対するレンタル料を決定すると、上記料金計算部２４は、利用実績としての当該レンタルＤＶＤ２の利用回数とそのレンタルＤＶＤ２に対するレンタル料とを上記表示部２６に表示する。これにより、レンタル店の店員は、上記表示部２６に表示された当該レンタルＤＶＤ２のレンタル料を利用者に請求し、当該利用者からレンタル料を徴収する（ステップＳ２３）。
【００５９】
利用者からレンタル料を徴収したレンタル店の店員は、上記処理装置２０の操作部２２により当該レンタルＤＶＤ２の利用実績書込み領域２ａの初期化を指示する。上記操作部２２により利用実績書込み領域２ａの初期化が指示されると、上記利用実績初期化部２３は、当該レンタルＤＶＤ２の利用実績書込み領域２ａを初期化する（ステップＳ２４）。
【００６０】
以上のような処理によりレンタル店での処理装置２０によるレンタルＤＶＤ２の返却時の処理が完了し、当該レンタルＤＶＤ２が貸し出し可能な状態となる。
【００６１】
上記のように、処理装置２０では、レンタルＤＶＤ２の利用実績書込み領域２ａに記録された利用実績を示す情報に基づいて、利用実績に応じた当該レンタルＤＶＤのレンタル料を決定し、そのレンタル料が徴収できた場合には当該レンタルＤＶＤ２の利用実績書込み領域２ａを初期化するようにしたものである。これにより、レンタル店では、レンタルＤＶＤ２に対するレンタル料を実際にコンテンツを再生した回数に応じて徴収することができる。
【図面の簡単な説明】
【００６２】
【図１】本発明の実施の形態に係るレンタルＤＶＤの再生装置の構成を概略的に示す図。
【図２】レンタルＤＶＤを処理する処理装置の構成を概略的に示す図。
【図３】レンタルＤＶＤの記録エリアに記録される利用実績の例を示す図。
【図４】利用実績に対するレンタル料の設定例を示す図。
【図５】レンタルＤＶＤに記録されているコンテンツを再生する再生装置における動作例を説明するためのフローチャート。
【図６】レンタルＤＶＤを返却した場合の処理装置における動作例を説明するためのフローチャート。
【符号の説明】
【００６３】
１…ＤＶＤ再生装置（再生装置）、２…レンタルＤＶＤ（記録媒体）、２ａ…利用実績書込み領域（記録エリア）、３…表示装置、１１…カード読取部（カード読取手段）、１２…判定部（判定手段）、１３…利用実績書込部（記録手段）、１４…ＤＶＤ読取部（読取手段、第１の読取手段）、１５…コンテンツ再生部（再生手段）、２０…処理装置、２１…ＤＶＤ読取部（第２の読取手段）、２２…操作部、２３…利用実績初期化部（初期化手段）、２４…料金計算部（算出手段）、２５…料金テーブル、２６…表示部
【図１】
2005100253.tif 000003
【図２】
2005100253.tif 000004
【図３】
2005100253.tif 000005
【図４】
2005100253.tif 000006
【図５】
2005100253.tif 000007
【図６】
2005100253.tif 000008